(57)【特許請求の範囲】
【請求項１】
先端に開口を有し、内部に化粧料芯を収容した繰出し式化粧用ペンシルにおいて、
前記開口から繰り出した前記化粧料芯の先端部分に刃形のエッジを形成するために、前記先端付近の外周面に、前記刃形のエッジの傾斜面に沿うように、前記開口にかけて傾斜した平坦面を複数個設けたことを特徴とする、繰出し式化粧用ペンシル。
【請求項２】
先端に開口を有し、内部に化粧料芯を収容した繰出し式化粧用ペンシルにおいて、
前記開口から繰り出した前記化粧料芯の先端部分に刃形のエッジを形成するために、前記先端付近の外周面に、前記刃形のエッジの傾斜面に沿うように、前記開口にかけて傾斜した第１及び第２の平坦面を前記先端付近の断面の外形形状が略長方形状になるように設けたことを特徴とし、
前記開口から繰り出された前記化粧料芯を削ると、これら平坦面の傾斜に沿った２個の傾斜面が出会って前記化粧料芯の先端部分に前記刃形状のエッジが形成される、
ところの繰出し式化粧用ペンシル。
【請求項３】
先端に開口を有し、内部に化粧料芯を収容した繰出し式化粧用ペンシルにおいて、
前記開口から繰り出した前記化粧料芯の先端部分に刃形のエッジを形成するために、前記先端付近の外周面に、前記刃形のエッジの傾斜面に沿うように、前記開口にかけて傾斜した第１、第２及び第３の平坦面を前記先端付近の断面の外形形状が略台形状になるように設けたことを特徴とし、
この略台形状の断面の側辺に該当する２個の平坦面に沿って、前記開口から繰り出された前記化粧料芯を削ると、これら２個の平坦面の傾斜に沿った傾斜面が、前記化粧料芯の先端部分に、略台形状の断面の上底に該当する１個の平坦面に沿って形成され、前記化粧料芯の先端部分に前記刃形状のエッジが形成される、
ところの繰出し式化粧用ペンシル。
【発明の詳細な説明】
【０００１】
【発明の属する分野】
本発明は、繰出し式化粧用ペンシルに関し、特に、化粧料芯の先端部分に適宜エッジを形成できる繰出し式化粧用ペンシルに関する。
【０００２】
【従来の技術及び発明の解決しようとする課題】
先端に開口を有し、内部に化粧料芯を収容した繰出し式化粧用ペンシルが一般に知られている。
【０００３】
例えば、実公平２−４０９００号の繰出し式化粧用ペンシルは、先端に開口を有し、内部に化粧料芯を収容した先筒と、この化粧料芯を先筒の先端の開口から繰り出すための繰出し機構を有し、先筒後部に先筒と相対回転可能に取り付けられた本体とから成り、先筒と本体とを相対回転させることによって化粧料芯が先筒の先端の開口を通じて出没する。
【０００４】
また、実公平２−４０８９８号の繰出し式化粧用ペンシルは、先端に開口を有し、内部に化粧料芯を収容したカートリッジと、このカートリッジを着脱可能に装着するための本体とから成るカートリッジ式化粧用ペンシルである。
【０００５】
このようなカートリッジ式の繰出し式化粧用ペンシルでは、カートリッジを本体に装着し、カートリッジと本体とを相対回転させることによって化粧料芯がカートリッジ先端の開口を通じて出没する。
【０００６】
繰出し式化粧用ペンシルを使用して化粧を施す際は、所望の化粧料芯を収容した先筒と本体とを相対回転させ、又は、所望の化粧料芯を収容したカートリッジを本体に装着し、カートリッジと本体とを相対回転させて繰出し式化粧用ペンシル先端の開口から化粧料芯を繰り出して行われる。
【０００７】
一般に、アイライナー等により繊細な化粧ラインを描くとき、繰出し式化粧用ペンシルの先端の開口から上述のようにして繰り出された化粧料芯の先端部分をナイフで削ったり、又は、研削紙等に化粧料芯を角度をつけて押しつけて擦り、円錐状の芯先にしてから化粧を施す。
【０００８】
しかし、円錐状の芯先では、この芯先がすぐに丸まってしまい、頻繁に化粧料芯の先端部分を削らなければならない。
【０００９】
そこで、化粧料芯の先端部分に刃形状のエッジを形成して、より長時間繊細な化粧ラインを描こうとするのであるが、従来の繰出し式化粧用ペンシルでは、繰出し式化粧用ペンシルの先端部分の断面形状が、その先端の開口にかけて略円形状であるため、上述のようにナイフや研削紙等を使用して化粧料芯の先端部分に刃形状のエッジを迅速且つ容易に形成しにくい、という欠点がある。
【００１０】
したがって、本発明の目的は、化粧料芯の先端部分に迅速且つ容易にエッジを形成できる繰出し式化粧用ペンシルを提供することである。
【００１１】
【課題を解決するための手段】
上記課題を解決するため、本発明は、先端に開口を有し、内部に化粧料芯を収容した繰出し式化粧用ペンシルにおいて、繰出し式化粧用ペンシルの先端付近の外周面に、繰出し式化粧用ペンシルの先端の開口にかけて傾斜した平坦面を設けたことを特徴とする。
【００１２】
この平坦面に沿ってナイフを移動し、又は、この平坦面を研削紙等の上に押し当てて平坦面に沿って擦り、繰出し式化粧用ペンシルの先端の開口から繰り出された化粧料芯を削ると、平坦面の傾斜に沿った傾斜面が化粧料芯の先端部分に形成され、化粧料芯の先端部分に刃形状のエッジが形成される。
【００１３】
このような平坦面は、繰出し式化粧用ペンシルの先端付近の外周面に、単数又は複数個設けることができる。
【００１４】
本発明の１つの態様では、平坦面を繰出し式化粧用ペンシルの先端付近の外周面に２個設け、繰出し式化粧用ペンシルの先端部分の断面の外形形状が略長方形状となるようにする。
【００１５】
この場合、上述のようにして繰出し式化粧用ペンシルの先端の開口から繰り出された化粧料芯を削ると、これら平坦面の傾斜に沿った２個の傾斜面が出会って化粧料芯の先端部分に刃形状のエッジが形成される。
【００１６】
また、本発明の他の態様では、平坦面を繰出し式化粧用ペンシルの先端付近の外周面に３個設け、繰出し式化粧用ペンシルの先端部分の断面の外形形状が略台形状となるようにする。
【００１７】
この場合、この略台形状の断面の側辺に該当する２個の平坦面に沿って上述のようにして化粧料芯を削ると、これら２個の平坦面の傾斜に沿った傾斜面が、化粧料芯の先端部分に、略台形状の断面の上底に該当する１個の平坦面に沿って形成され、化粧料芯の先端部分に刃形状のエッジが形成される。
【００１８】
ここで、化粧料芯の断面形状は円形状であってもよいが、多角形状、好適には長方形状である。
【００１９】
化粧料芯の断面形状が長方形状である場合、断面形状が円形状である場合よりも化粧料芯を削る量が少量となり、化粧料芯を無駄に削ることがない。
【００２０】
【発明の実施の形態】
図３に示すように、本発明の繰出し式化粧用ペンシルの実施例は、内部に長方形断面形状の化粧料芯５０を収容したカートリッジ１０と、カートリッジ１０を着脱可能に装着するための装着部を有する本体２０とから成るカートリッジ式化粧用ペンシルである。
【００２１】
カートリッジ１０は、先端に開口１５を有し、内部に化粧料芯５０を挿通する貫通口を有する先筒１１と、化粧料芯５０の後方部分を保持する芯チャック１３と、芯チャック１３の背後とカートリッジ１０の後端の後端壁１２との間に固定的に取り付けた圧縮バネ１４とから成り、芯チャック１３が前方に押し出されたとき、この押し出す力に抗する弾性力が圧縮バネ１４から芯チャック１３に働く。
【００２２】
ここで、先筒１１の先端付近の外周面には、図１（ａ）及び図１（ｂ）に示すように、先筒１１の先端の開口１５にかけて傾斜した第１、第２及び第３の平坦面１６、１７、１８が、カートリッジ１０の先端部分の断面の外形形状が略台形状となるように設けられる。
【００２３】
これら第１及び第２の平坦面１６、１７に沿ってナイフを移動し、又は、これら平坦面１６、１７を研削紙等の上に押し当てて平坦面１６、１７に沿って擦り、化粧料芯５０を削ると、第１及び第２の平坦面１６、１７の傾斜に沿った傾斜面５２が化粧料芯５０の先端付近の側部に第３の平坦面１８の傾斜に沿って形成され、これら傾斜面５２が出会う化粧料芯５０の先端部分に刃形状のエッジ５１が形成される。
【００２４】
また、変形的に、図２（ａ）及び図２（ｂ）に示すように、カートリッジ１０の先端付近の外周面に、カートリッジ１０の先端の開口１５にかけて傾斜した第１及び第２の平坦面１６、１７をカートリッジ１０の先端付近の断面の外形形状が略長方形状になるように設けてもよい。
【００２５】
これら第１及び第２の平坦面１６、１７に沿ってナイフを移動し、又は、これら平坦面１６、１７を研削紙等の上に押し当てて平坦面１６、１７に沿って擦り、化粧料芯５０を削ると、第１及び第２の平坦面１６、１７の傾斜に沿った傾斜面５２が化粧料芯５０の先端付近に形成され、これら傾斜面５２が出会う化粧料芯５０の先端部分に刃形状のエッジ５１が形成される。
【００２６】
ここで、化粧料芯５０の断面形状は長方形状である。
【００２７】
さらに、カートリッジ１０の先端付近の外周面に、カートリッジ１０の先端の開口１５にかけて傾斜した平坦面を１個だけ設けてもよい（図示せず）。
【００２８】
この場合、例えば、長方形断面形状を有する化粧料芯をカートリッジ１０に収容し、カートリッジ１０の先端の開口１５において、この化粧料芯の対角線に略平行となるように平坦面の端部を設け、この平坦面に沿って上述のようにして化粧料芯を研削すると、化粧料芯の先端部分に刃形状のエッジを形成することができる。
【００２９】
本体２０は、カートリッジ１０を装着するための装着部を有する有底筒状の保持筒３０と、保持筒３０の後方に保持筒３０と嵌合部３１を介して相対回転可能に取り付けられ、内部に雌ねじ螺旋溝４１を設けた螺旋筒４０と、後方に雌ねじ螺旋溝４１と係合する突起部４３を設けた多角形断面形状の押し棒４２とから成る。
【００３０】
本発明の実施例のカートリッジ式化粧用ペンシルを使用するときは、化粧料芯５０をカートリッジ１０の先端の開口１５から所望の長さだけ繰り出す。
【００３１】
次に、本体２０の後部に着脱可能に収納したナイフ６０を取り出し、第１及び第２の平坦面１６、１７に沿ってこのナイフ６０を移動し、又は、これら平坦面１６、１７を研削紙等の上に押し当てて平坦面１６、１７に沿って擦り、化粧料芯５０の先端部分を削り、化粧料芯５０の先端部分に刃形状のエッジ５１を形成し、化粧を施す。
【００３２】
化粧料芯５０の先端部分のエッジ５１が丸まってしまった場合は、再び化粧料芯５０をカートリッジ１０の先端の開口１５から所望の長さだけ繰り出し、第１及び第２の平坦面１６、１７に沿ってナイフ６０を移動し、又は、これら平坦面１６、１７を研削紙等の上に押し当てて平坦面１６、１７に沿って擦って化粧料芯５０の先端部分を削ってエッジ５１を形成すればよい。
【００３３】
本発明の実施例のカートリッジ式ペンシルでは、本体２０の後方にナイフ６０を収納しているが、ナイフ６０に代えて、平坦面に沿って移動させ化粧料芯に押し当てて化粧料芯の先端部分を削るための板状のヤスリや、リップ等の化粧具を収納してもよい。
【００３４】
【発明の効果】
上説したように、本発明の繰出し式化粧用ペンシルが以上のように構成されているので、以下のような効果を奏する。
【００３５】
繰出し式化粧用ペンシルの先端の開口にかけて傾斜した平坦面に沿ってナイフを移動し、又は、この平坦面を研削紙等の上に押し当てて平坦面に沿って擦り、繰出し式化粧用ペンシルの先端の開口から繰り出された化粧料芯を削るので、繰出し式化粧用ペンシルの先端の平坦面の傾斜に沿った傾斜面が化粧料芯の先端部分に形成され、化粧料芯の先端部分に刃形状のエッジを迅速且つ容易に形成することができる。
【００３６】
また、長方形断面形状の化粧料芯を使用すると、断面形状が円形状である場合よりも化粧料芯を削る量が少量となり、化粧料芯を無駄に削ることがなく、経済的であるだけでなく、化粧料芯をより迅速且つ容易に削ることができる。
【図面の簡単な説明】
【図１】図１（ａ）は、本発明の実施例の先端部分の部分拡大図であり、図１（ｂ）は、図１（ａ）のＡ−Ａ線端面図である。
【図２】図２（ａ）は、本発明の他の実施例の先端部分の部分拡大図であり、図２（ｂ）は、図２（ａ）のＢ−Ｂ線端面図である。
【図３】図３は、本発明の実施例のカートリッジ式化粧用ペンシルの断面図である。
【符号の説明】
１０      カートリッジ
１１      先筒
１２      後端壁
１３      芯チャック
１４      圧縮バネ
１５      開口
１６      第１の平坦面
１７      第２の平坦面
１８      第３の平坦面
２０      本体
３０      保持筒
３１      嵌合部
４０      螺旋筒
４１      雌ねじ螺旋溝
４２      押し棒
４３      突起部
５０      化粧料芯
５１      エッジ
５２      傾斜面
６０      ナイフ
【図１】
0003765438.tif 000002
【図２】
0003765438.tif 000003
【図３】
0003765438.tif 000004